(57)【特許請求の範囲】
【請求項１】
軒樋が曲り継手に接続された軒樋と曲り継手の接続構造において、
前記軒樋は、断面形状が略Ｕ字形になされ、屋外側側壁の上端部に屋外側耳部とほぼ中央部に軒樋溝部と、屋内側側壁の上端部に屋内側耳部とが軒樋の長手方向に沿って設けられ、
前記曲り継手は、断面形状が略Ｌ字型になされた曲り継手本体と、この曲り継手本体の入隅部の屋外側側壁のほぼ中央部に内方に向けて曲り継手溝部と、この曲り継手溝部を曲り継手本体の内方より覆う覆材と、両端部に軒樋が接続可能な軒樋接続部とが設けられ、
軒樋の端部が、曲り継手本体の軒樋接続部に接続され、軒樋溝部が曲り継手溝部に嵌め込まれ、軒樋の端縁と覆材の軒樋接続部側の端縁とが当接し、曲り継手溝部の外周面の下面と軒樋溝部の内周面の下面との間に間隙部と、軒樋溝部の下端縁と覆材の下端縁との間に開口部とが設けられ、間隙部と開口部が連通されていることを特徴とする軒樋と曲り継手の接続構造。
【請求項２】
軒樋が曲り継手に接続された軒樋と曲り継手の接続構造において、
前記軒樋は、断面形状が略Ｕ字形になされ、屋外側側壁の上端部に屋外側耳部とほぼ中央部に軒樋溝部と、屋内側側壁の上端部に屋内側耳部とが軒樋の長手方向に沿って設けられ、
前記曲り継手は、断面形状が略Ｌ字型になされた曲り継手本体と、この曲り継手本体の入隅部の屋外側側壁のほぼ中央部に内方に向けて曲り継手溝部と、この曲り継手溝部を曲り継手本体の内方より覆う覆材と、両端部に軒樋が接続可能な軒樋接続部とが設けられ、
軒樋の端部が、曲り継手本体の軒樋接続部に接続され、軒樋溝部が曲り継手溝部に嵌め込まれ、軒樋溝部の端部が曲り継手溝部と覆材の間に差し込まれ、曲り継手溝部の外周面の下面と軒樋溝部の内周面の下面との間に上側間隙部と、軒樋溝部の外周面の下面と覆材の内周面の下面との間に下側間隙部とが設けられ、上側間隙部と下側間隙部とが連通されていることを特徴とする軒樋と曲り継手の接続構造。
【発明の詳細な説明】
【０００１】
【発明の属する技術分野】
本発明は、家屋の軒先の入隅部に設けられる軒樋と曲り継手の接続構造で、軒樋と曲り継手とに屋外側側壁のほぼ中央部に内方に向けて溝部が設けられている軒樋と曲り継手の接続構造に関する。
【０００２】
【従来の技術】
従来、軒先の入隅部で軒樋同士を接続する曲り継手としては、例えば、実開平７−３１７２４２号公報に記載されているものがある。
この実開平７−３１７２４２号公報の曲り継手は、断面形状が略Ｌ字型に形成された曲り継手本体と、この曲り継手本体の入隅部の屋外側側壁のほぼ中央部に内方に向けて曲り継手溝部と、この曲り継手溝部に上向きに水返し片と、両端部に軒樋が接続可能な軒樋接続部とが設けられているものである。
【０００３】
この実開平７−３１７２４２号公報記載の曲り継手では、曲り継手本体の屋外側側壁が、上部と、中央部と、下部との３つのパーツからなり、それぞれを分割して成型し、後で各パーツを結合させるものであり、３つのパーツとして金型を小型化して金型製作費を押え、上部のみを複数種類成型するだけで、曲り継手のデザインの多様化を図ったりすることができるもので、簡単な構造で、使い易いものである。
【０００４】
又、水返し片に軒先から流れ落ちる雨水が当たって、曲り継手本体内に跳ね返され、継手溝部から外に雨水がしみ出したりしない曲り継手である。
【０００５】
【発明が解決しようとする課題】
ところが、上記の実開平７−３１７２４２号公報記載の曲り継手では、曲り継手本体の屋外側側壁が、上部と、中央部と、下部との３つのパーツからなっているため、上部と、中央部と、下部とを小型化しても、それぞれ別々に金型を作ったり、保管したりせねばならず、金型製作費や保管や保守がかかりコストアップになるという問題があった。
【０００６】
又、上記の曲り継手では軒樋溝部からの流れてきた雨水を曲り継手内へ流すことができないので、軒先から流れ落ち、屋外側側壁を伝わって軒樋溝部に流れこみ、軒樋溝部に溜まった雨水は溢れ、軒樋を伝わって下に落ちたり、後が付いて汚れたりするという問題があった。
【０００７】
そこで、本発明の目的は、上記のような問題に着目し、曲り継手の製作費や保管や保守にかかるコストを削減し、軒樋溝部からの流れてきた雨水を曲り継手内へ流して、雨水が下に落ちたり、軒樋が汚れたりしない軒樋と曲り継手の接続構造を提供するものである。
【０００８】
【課題を解決するための手段】
本発明は上記の目的を達成するためになされたもので、請求項１記載の発明は、軒樋が曲り継手に接続された軒樋と曲り継手の接続構造において、軒樋は、断面形状が略Ｕ字形になされ、屋外側側壁の上端部に屋外側耳部とほぼ中央部に軒樋溝部と、屋内側側壁の上端部に屋内側耳部とが軒樋の長手方向に沿って設けられ、曲り継手は、断面形状が略Ｌ字型になされた曲り継手本体と、この曲り継手本体の入隅部の屋外側側壁のほぼ中央部に内方に向けて曲り継手溝部と、この曲り継手溝部を曲り継手本体の内方より覆う覆材と、両端部に軒樋が接続可能な軒樋接続部とが設けられ、軒樋の端部が、曲り継手本体の軒樋接続部に接続され、軒樋溝部が曲り継手溝部に嵌め込まれ、軒樋の端縁と覆材の軒樋接続部側の端縁とが当接し、曲り継手溝部の外周面の下面と軒樋溝部の内周面の下面との間に間隙部と、軒樋溝部の下端縁と覆材の下端縁との間に開口部とが設けられ、間隙部と開口部とが連通されているものである。
【０００９】
請求項２記載の発明は、軒樋が曲り継手に接続された軒樋と曲り継手の接続構造において、軒樋は、断面形状が略Ｕ字形になされ、屋外側側壁の上端部に屋外側耳部とほぼ中央部に軒樋溝部と、屋内側側壁の上端部に屋内側耳部とが軒樋の長手方向に沿って設けられ、曲り継手は、断面形状が略Ｌ字型になされた曲り継手本体と、この曲り継手本体の入隅部の屋外側側壁のほぼ中央部に内方に向けて曲り継手溝部と、この曲り継手溝部を曲り継手本体の内方より覆う覆材と、両端部に軒樋が接続可能な軒樋接続部とが設けられ、軒樋の端部が、曲り継手本体の軒樋接続部に接続され、軒樋溝部が曲り継手溝部に嵌め込まれ、軒樋溝部の端部が曲り継手溝部と覆材の間に差し込まれ、曲り継手溝部の外周面の下面と軒樋溝部の内周面の下面との間に上側間隙部と、軒樋溝部の外周面の下面と覆材の内周面の下面との間に下側間隙部とが設けられ、上側間隙部と下側間隙部とが連通されているものである。
【００１０】
請求項１記載の発明において、軒樋溝部と、曲り継手溝部と、覆材とは、曲り継手本体内で、軒樋溝部が曲り継手溝部に嵌め込まれ、曲り継手溝部を覆材で覆われ、曲り継手溝部の外周面の下面と軒樋溝部の内周面の上面との間に間隙部と、軒樋溝部の下端縁と覆材の下端縁との間に開口部とが設けられ、間隙部と開口部とが連通されていれば、適宜な構造でよく、例えば、図２に示すように、軒樋溝部の大きさを曲り継手溝部より大きくし、曲り継手溝部の外周面の上面と側面に軒樋溝部の内周面の上面と側面を当接させ、曲り継手溝部の外周面の下面と軒樋溝部の内周面の下面とで間隙部を作り、覆材の大きさを軒樋溝部より大きくし、覆材を軒樋溝部に被せ、軒樋溝部の外周面の上面と側面に覆材の内周面の上面と側面を当接させ、軒樋の一方の端縁と覆材の軒樋接続部側の端縁とを当接させ、軒樋溝部の下端縁と覆材の下端縁との間に開口部を設け、間隙部と開口部とを連通するようにしておくと、図３に示す矢印のように、軒樋溝部に流れ込んだ雨水は、曲り継手溝部の外周面の下面と軒樋溝部の内周面の下面とでできた間隙部と通り、軒樋溝部の下端縁と覆材の下端縁との間に開口部を通り、曲り継手本体内へ流れ込むので、軒樋溝部に雨水が溜まり、雨水が下に落ちたり、軒樋が汚れたりすることがない。
【００１１】
請求項１記載の発明において、覆材を設ける場所と形状は、軒樋の端部が曲り継手本体の軒樋接続部に差し込まれ、軒樋の端縁と覆材の軒樋接続部側の端縁とが当接させることができれば、適宜な場所でよく、例えば、図１に示すように、曲り継手本体の屋外側側壁の内側のほぼ中央部で、Ｌ字型のコーナー部から両方向の軒樋接続部側に向けて、曲り継手溝部の形状に合わせた断面形状がコ字型の覆材をコ字型の開口部を曲り継手本体の屋外側側壁に向け、屋外側側壁に両端を取り付けて、覆材を設けておくと、成型し易いので、好ましい。
又、覆材の表面を凹凸状にしておくと、雨水が覆材の表面に当たっても跳ねたりしないし、覆材の軒樋接続部側の端縁から軒樋接続部側に向けて軒樋溝部の形状に合わせて庇部を設けておくと、開口部から外側に雨水がでるのをふせぐことができるので、好ましい。
【００１２】
請求項２記載の発明において、軒樋溝部と、曲り継手溝部と、覆材とは、曲り継手本体内で、軒樋溝部が曲り継手溝部に嵌め込まれ、曲り継手溝部が覆材で覆われ、軒樋溝部の端部が曲り継手溝部と覆材の間に差し込まれ、曲り継手溝部の外周面の下面と軒樋溝部の内周面の上面との間に上側間隙部と、軒樋溝部の外周面の下面と覆材の内周面の下面との間に下側間隙部とが設けられ、上側間隙部と下側間隙部とが連通されていいれば、適宜な構造でよく、例えば、図５に示すように、軒樋溝部の大きさを曲り継手溝部より大きくし、軒樋溝部を曲り継手溝部と覆材の間に差し込み、曲り継手溝部の外周面の下面と軒樋溝部の内周面の下面とで上側間隙部を作り、覆材の大きさを軒樋溝部より大きくし、覆材を軒樋溝部に被せ、軒樋溝部の端部を曲り継手溝部と覆材の間に差し込み、軒樋溝部の外周面の下面と覆材の内周面の下面で下側間隙部を作り、上側間隙部と下側間隙部とが連通するようにしておくと、図６に示す矢印ように、軒樋溝部に流れ込んだ雨水は、曲り継手溝部の外周面の下面と軒樋溝部の内周面の下面とでできた上側間隙部と通り、軒樋溝部の外周面の下面と覆材の内周面の下面との間に下側間隙部を通り、曲り継手本体内へ流れ込むので、軒樋溝部に雨水が溜まり、雨水が下に落ちたり、軒樋が汚れたりすることがない。
【００１３】
請求項２記載の発明において、覆材を設ける場所と形状は、軒樋の端部が曲り継手本体の軒樋接続部に接続され、軒樋溝部が曲り継手溝部に嵌め込まれ、軒樋溝部の端部が覆材内に差し込むことができれば、適宜な場所でよく、例えば、図４に示すように、曲り継手本体の軒樋接続部の近傍で、曲り継手本体の屋外側側壁の内側の曲り継手溝部の上部近傍から曲り継手本体の内周面に沿って、曲り継手本体の屋内側側壁のほぼ中央部までに、断面形状がほぼ横Ｊ字型の帯状の覆材の短手材を曲り継手本体の屋外側側壁の内側に取り付けるようにして覆材を設けておくと、軒樋溝部の端部を覆材内に差し込むことができ、成型し易いので、好ましい。
【００１４】
又、この横Ｊ字型の帯状の覆材の内側の形状は、横Ｊ字型の帯状の覆材を曲り継手本体の屋外側側壁の内側に取り付け、軒樋溝部の端部を覆材内に差し込んだとき、軒樋溝部の端縁が横Ｊ字型の帯状の覆材の奥部の短手材に当接しなければ、適宜な形状でよく、例えば、図７の（イ）に示すように、横Ｊ字型の帯状の覆材の長手材にテーパーをつけ、奥に行くにつれて、覆材と曲り継手溝部との間を狭くして、軒樋溝部の端縁が覆材の途中で止まるようにしたり、又、図７の（ロ）に示すように、横Ｊ字型の帯状の覆材の奥部の短手材を上部が入口方向に傾斜させて、軒樋溝部の端縁の上部が傾斜した覆材の短手材の上部に当るようにしておくと、軒樋溝部の端縁が覆材の奥まで差し込まれても、雨水が上側間隙部と下側間隙部とを通り、曲り継手本体内へ流れ込むので、好ましい。
【００１５】
又、請求項２記載の覆材を、図８に示すように、幅広の帯状でできた内押え体とし、内押え体の形状を曲り継手本体の側壁と底板の形状とほぼ同じで、大きさは曲り継手本体より若干小さくして、曲り継手本体に内押え体を嵌めることができ、曲り継手本体と内押え体との間で軒樋溝部の端部を押えて挟むようにしておいてもよい。
【００１６】
請求項１及び請求項２記載の発明において、曲り継手本体の軒樋接続部の形状は、軒樋の端部と接続できれば、適宜な形状でよく、例えば、曲り継手本体の軒樋接続部の内周面に軒樋の端部の外周面を合わせ、軒樋接続部の屋内側及び屋外側両側壁の上端に軒樋の屋内側及び屋外側耳部を上方から押えることができる押え片を曲り継手本体の内側に突出させて設けておくと、曲り継手本体の軒樋接続部に軒樋の端部を接続したとき、軒樋接続部の両押え片で軒樋の両耳部を上方から押え、しっかりと接続できるので、好ましい。
【００１７】
請求項１及び請求項２記載の発明において、曲り継手本体と、曲り継手本体の溝部と、覆材と、軒樋接続部の上端の両押え片の材質は、合成樹脂、金属等適宜な材質でよいが、合成樹脂であると、軽量の点で、又、耐食性と成型性（射出成型法で一体成型でき外観がよい）がよく、好ましい。
尚、覆材が内押え体の場合、曲り継手本体と、曲り継手本体の溝部と、軒樋接続部の上端の両押え片とを一体成型し、内押え体は別に射出成型するとよい。
【００１８】
（作用）
請求項１記載の軒樋と曲り継手の接続構造について、軒樋は、断面形状が略Ｕ字形になされ、屋外側側壁の上端部に屋外側耳部とほぼ中央部に軒樋溝部と、屋内側側壁の上端部に屋内側耳部とが軒樋の長手方向に沿って設けられ、曲り継手は、断面形状が略Ｌ字型になされた曲り継手本体と、この曲り継手本体の入隅部の屋外側側壁のほぼ中央部に内方に向けて曲り継手溝部と、この曲り継手溝部を曲り継手本体の内方より覆う覆材と、両端部に軒樋が接続可能な軒樋接続部とが設けられ、軒樋の端部と曲り継手本体とを接続すると、曲り継手溝部の外周面の下面と軒樋溝部の内周面の下面との間で間隙部と、軒樋溝部の下端縁と覆材の下端縁との間で開口部とができ、間隙部と開口部とが連通されているから、軒樋の端部を曲り継手本体の軒樋接続部に接続し、軒樋溝部を曲り継手溝部に嵌め込み、軒樋の端縁と覆材の軒樋接続部側の端縁とを当接することによって、軒樋溝部に流れ込んだ雨水は、曲り継手溝部の外周面の下面と軒樋溝部の内周面の下面とでできた間隙部と通り、軒樋溝部の下端縁と覆材の下端縁との間に開口部を通り、曲り継手本体内へ流れ込むので、軒樋溝部に雨水が溜まり、雨水が下に落ちたり、軒樋が汚れたりすることがない。
【００１９】
請求項２記載の軒樋と曲り継手の接続構造については、軒樋は、断面形状が略Ｕ字形になされ、屋外側側壁の上端部に屋外側耳部とほぼ中央部に軒樋溝部と、屋内側側壁の上端部に屋内側耳部とが軒樋の長手方向に沿って設けられ、曲り継手は、断面形状が略Ｌ字型になされた曲り継手本体と、この曲り継手本体の入隅部の屋外側側壁のほぼ中央部に内方に向けて曲り継手溝部と、この曲り継手溝部を曲り継手本体の内方より覆う覆材と、両端部に軒樋が接続可能な軒樋接続部とが設けられ、軒樋の端部と曲り継手本体とを接続すると、曲り継手溝部の外周面の下面と軒樋溝部の内周面の下面との間に上側間隙部と、軒樋溝部の外周面の下面と覆材の内周面の下面との間に下側間隙部とができ、上側間隙部と下側間隙部とが連通されているから、軒樋の端部を曲り継手本体の軒樋接続部に接続し、軒樋溝部を曲り継手溝部に嵌め込み、軒樋溝部の端部を曲り継手溝部と覆材の間に差し込むことによって、軒樋溝部に流れ込んだ雨水は、曲り継手溝部の外周面の下面と軒樋溝部の内周面の下面とでできた上側間隙部と通り、軒樋溝部の外周面の下面と覆材の内周面の下面との間に下側間隙部を通り、曲り継手本体内へ流れ込むので、軒樋溝部に雨水が溜まり、雨水が下に落ちたり、軒樋が汚れたりすることがない。
【００２０】
又、請求項１及び請求項２記載の発明において、軒樋接続部の屋内側及び屋外側両側壁の上端に軒樋の屋内側及び屋外側耳部を上方から押えることができる押え片が曲り継手本体の内側に突出させて設けられているから、曲り継手本体の軒樋接続部に軒樋の端部を接続したとき、軒樋接続部の両押え片で軒樋の両耳部を上方から押えることができ、しっかりと曲り継手本体に軒樋の端部を取り付けることができる。
【００２１】
【発明の実施の形態】
以下，本発明の一実施例を図１〜図３により詳述する。
図１は曲り継手の一方の軒樋接続部に軒樋の端部が接続された状態を上方向から見た斜視説明図、図２は曲り継手と軒樋とが接続され、曲り継手溝部に軒樋溝部が差し込まれ、曲り継手溝部が曲り継手本体の内方より覆材で覆われている状態を示す断面説明図、図３は図２のＸ−Ｘ線矢視で、軒樋の端縁と覆材の端縁とが当接し、雨水が軒樋溝部から間隙部と開口部を通り、矢印の如く、曲り継手本体内に流れ込む状態を示す説明図である。
【００２２】
図１において，Ａは軒樋１と曲り継手２の接続構造であり、軒樋１と曲り継手２は合成樹脂（硬質塩化ビニール樹脂）製のものである。尚、ここでいう接続構造は、曲り継手２の両方の軒樋接続部２５にそれぞれの軒樋１が接続したもので、この図１では、曲り継手２の一方の軒樋接続部と一方の軒樋１の端部とが接続された状態を示しており、この曲り継手２の他方の軒樋接続部１にも、一方の軒樋接続部と同様に、他の軒樋１の端部が接続されるが、同様の構造、取付方法及び作用であるので、図示省略する。
【００２３】
軒樋１は、断面形状が略Ｕ字形になされ、屋外側側壁１１の上端部に屋外側耳部１２とほぼ中央部に軒樋溝部１３と、屋内側側壁１４の上端部に屋内側耳部１５とが軒樋の長手方向に沿って設けられている。
この軒樋溝部１３は、屋外側側壁１１のほぼ中央部に内方に向けて角形状の溝になされている。
【００２４】
曲り継手２は、横断面形状が略Ｌ字型になされた曲り継手本体２１と、この曲り継手本体２１の入隅部の屋外側側壁２２のほぼ中央部に内方に向けて角形状の曲り継手溝部２３と、この曲り継手溝部２３を曲り継手本体２１の内方より覆う覆材２４と、両端部に軒樋が接続可能な軒樋接続部２５とからなっている。
曲り継手本体２１は、縦断面形状が略Ｕ字形の軒樋１に対応させた形状になされ、軒樋１が内側に嵌まるようになされている。
曲り継手溝部２３は、角形状の軒樋溝部１３に対応させた形状になされ、軒樋１が曲り継手２の内側に嵌まるようになされている。
【００２５】
覆材２４は、角形状の曲り継手溝部２３に対応させた形状になされ、曲り継手本体２１の入隅部の屋外側側壁２２のコーナー部で覆材２４同士が繋げられている。
軒樋接続部２５は、曲り継手本体２１の両端部の内周面に軒樋１の端部を嵌め込む部分に設けられ、軒樋接続部２５には、屋外側側壁１１の上端に軒樋１の屋外側耳部１２を上方から押えることができる屋外側押え片２６と、屋内側側壁１４の上端に軒樋１の屋内側耳部１５を上方から押えることができる屋内側押え片２７とが曲り継手本体２の内側に突出させて設けられている。
【００２６】
曲り継手本体２１と曲り継手溝部２３と覆材２４と軒樋接続部２５の屋外側押え片２６と屋内側押え片２７とは、射出成型法で一体成型されている。
【００２７】
軒樋１の端部が曲り継手本体２１の軒樋接続部２５に接続され、軒樋溝部１３が曲り継手溝部２３に嵌め込まれ、軒樋１の一方の端縁と覆材２４の軒樋接続部側の端縁とが当接するようになされている。
この時、曲り継手溝部２３の外周面の下面２８と軒樋溝部１３の内周面の下面１６との間に間隙部３が設けられ、軒樋溝部１３の下端縁１７と覆材２４の下端縁２９との間に開口部４が設けられ、間隙部３と開口部４とが連通されるようになされている。
【００２８】
次に，この軒樋１と曲り継手２の取付方法と作用を説明する。
家屋の一方の軒先に取り付けられた軒樋１の端部の外周面に接着剤（図示省略）を塗布し、軒樋１の端部を曲り継手本体２１の一方の軒樋接続部２５に接続し、軒樋溝部１３を曲り継手溝部２３に嵌め込み、軒樋１の一方の端縁と覆材２４の端縁に当接させ、曲り継手溝部２３の外周面の下面２８と軒樋溝部１３の内周面の下面１６との間に設けられた間隙部３と、軒樋溝部１３の下端縁１７と覆材２４の下端縁２９との間に設けられた開口部４とを連通させ、軒樋接続部２５の上端に設けられた屋外側押え片２６と屋内側押え片２７とで軒樋１の屋外側耳部１２と屋内側耳部１５とを押えて、軒樋１の端部と曲り継手本体２１の一方の軒樋接続部２５とを接着し、軒樋１と曲り継手２の一方とを接続する。
次に、家屋の他方の軒先に取り付けられた軒樋１の端部を、同様にして、曲り継手本体２１の他方の軒樋接続部２５に接続し、軒樋１と曲り継手２の他方とを接続し、軒樋１と曲り継手２を接続する。
【００２９】
このようにすると、軒樋１には、軒樋溝部１３が設けられ、曲り継手２は、曲り継手本体２１と、曲り継手溝部２３と、覆材２４と、軒樋接続部２５とからなり、軒樋１の端部と曲り継手本体２１とを接続すると、曲り継手溝部２３の外周面の下面２８と軒樋溝部１３の内周面の下面１６との間で間隙部３と、軒樋溝部１３の下端縁１７と覆材２４の下端縁２９との間で開口部４とができ、間隙部３と開口部４とが連通されているから、軒樋１の端部を曲り継手本体２１の軒樋接続部２５に接続し、軒樋溝部１３を曲り継手溝部２３に嵌め込み、軒樋１の端縁と覆材２４の軒樋接続部側の端縁とを当接することによって、軒樋溝部１３に流れ込んだ雨水は、曲り継手溝部２３の外周面の下面２８と軒樋溝部１３の内周面の下面１６とでできた間隙部３と通り、軒樋溝部１３の下端縁１７と覆材２４の下端縁２９との間の開口部４を通り、曲り継手本体２１内へ流れ込ますことができる。
【００３０】
次に、他の実施例を図４〜図７により詳述する。
図４は曲り継手本体の上方向からの斜視説明図、図５は曲り継手と軒樋とが接続され、曲り継手溝部に軒樋が差し込まれ、曲り継手溝部が曲り継手本体の内方より覆材で覆っている状態を示す断面説明図、図６は図５のＹ−Ｙ線矢視図で、軒樋の端部を曲り継手溝部と覆材との間に差し込まれ、雨水が軒樋溝部から上側間隙部と下側間隙部を通り、矢印の如く、曲り継手本体内に流れ込む状態を示す説明図、図７の（イ）は軒樋の端部を曲り継手溝部と覆材との間に差し込まれ、軒樋溝部の上部の覆材の長手材にテーパーが付けられ、覆材の途中で軒樋溝部の端部が止まっている状態を示している説明図、（ロ）は軒樋溝部の上部の覆材の奥部の面に短手材にテーパーが付けられ、奥部の面の上端で軒樋溝部が止まっている状態を示している説明図である。
【００３１】
図４に示す曲り継手は、覆材の形状と取付位置が異なり、軒樋の端部が曲り継手溝部と覆材との間に差し込まれている点が異なるだけで、下記の構造と作用を除き、構造、取付方法と作用は殆ど同じであるので、この異なるところのみを説明し、その他の説明は省略する。
【００３２】
図４において，２ａは曲り継手であり、合成樹脂（硬質塩化ビニール樹脂）製のものである。図４では、曲り継手溝部を覆材で覆っている構造を示すため、軒樋の端部を曲り継手溝部と覆材との間へ差し込んだ状態を示す図は省略し、曲り継手２ａのみを示した。
又、図４では、曲り継手の一方の軒樋接続部の構造のみ図示されているが、他方の軒樋接続部の構造も一方の軒樋接続部の構造と同じであるので、図示番号を省略した。
【００３３】
曲り継手２ａは、横断面形状が略Ｌ字型になされた曲り継手本体２１ａと、この曲り継手本体２１ａの入隅部の屋外側側壁２２ａのほぼ中央部に内方に向けて曲り継手溝部２３ａと、この曲り継手溝部２３ａを曲り継手本体２１ａの内方より覆う覆材２４ａと、両端部に軒樋が接続可能な軒樋接続部２５ａとからなっている。
【００３４】
覆材２４ａは角形状の曲り継手溝部２３ａに対応させた形状になされ、曲り継手本体２１ａの軒樋接続部２５ａの近傍で、曲り継手本体２１ａの屋外側側壁２２ａの内側の曲り継手溝部２３ａの上部近傍から曲り継手本体２１ａの内周面に沿って、曲り継手本体２１ａの屋内側側壁２２ａのほぼ中央部まで、断面形状がほぼ横Ｊ字型の帯状の覆材２４ａの短手材２４ａａを曲り継手本体２１ａの屋外側側壁２２ａの内側に覆材２４ａが設けられている。
【００３５】
尚、図７の（イ）に示すように、この横Ｊ字型の帯状の覆材２４ａの形状は、軒樋溝部１３の上部の覆材２４ａの長手材２４ａｂが奥部にゆくにつれて狭くなるようにテーパーが付けられ、軒樋溝部１３の端縁の上部が覆材２４ａの長手材２４ａｂに当たり、覆材２４ａの途中で止まるようにようになされている。
【００３６】
曲り継手本体２１ａと曲り継手溝部２３ａと覆材２４ａと軒樋接続部２５ａの屋外側押え片２６ａと屋内側押え片２７ａとは、射出成型法で一体成型されている。
【００３７】
軒樋の端部（図示省略）が、曲り継手本体２１ａの軒樋接続部２５ａに接続され、軒樋溝部１３が曲り継手溝部２３ａに嵌め込まれ、軒樋溝部１３の端部が曲り継手溝部２３ａと覆材２４ａとの間に差し込まれている。
この時、曲り継手溝部２３ａの外周面の下面２８ａと軒樋溝部１３の内周面の下面１６との間に上側間隙部３ａと、軒樋溝部１３の外周面の下面１７と覆材２４ａの内周面の下面２９ａとの間に下側間隙部４ａとが設けられ、上側間隙部３ａと下側間隙部４ａとが連通されるようになされている。
【００３８】
次に，この軒樋（図示省略）と曲り継手２ａの取付方法と作用を説明する。
家屋の一方の軒先に取り付けられた軒樋の端部の外周面に接着剤（図示省略）を塗布し、軒樋の端部を曲り継手本体２１ａの一方の軒樋接続部２５ａに接続し、軒樋溝部１３を曲り継手溝部２３ａに嵌め込み、軒樋の端部を曲り継手溝部２３ａと２４ａとの間に差し込まれ、曲り継手溝部２３ａの外周面の下面２８ａと軒樋溝部１３の内周面の下面１６との間に設けられた上側間隙部３ａと軒樋溝部１３の外周面の下面１７と覆材２４ａの内周面の下面２９ａとの間に下側間隙部４ａとを設け、この上側間隙部３ａと下側間隙部４ａとを連通させ、軒樋接続部２５ａの上端に設けられた屋外側押え片２６ａと屋内側押え片２７ａとで軒樋の屋外側耳部と屋内側耳部とを押えて、軒樋の端部と曲り継手本体２１ａの一方の軒樋接続部２５ａとを接着し、軒樋と曲り継手２ａの一方とを接続する。
次に、家屋の他方の軒先に取り付けられた軒樋の端部を、同様にして、曲り継手本体２１ａの他方の軒樋接続部２５ａに接続し、軒樋と曲り継手２ａの他方とを接続し、軒樋と曲り継手２ａを接続する。
【００３９】
このようにすると、軒樋には、軒樋溝部１３が設けられ、曲り継手２は、曲り継手本体２１ａと、曲り継手溝部２３ａと、覆材２４ａと、軒樋接続部２５ａとからなり、軒樋１の端部と曲り継手本体２１ａとを接続すると、曲り継手溝部２３ａの外周面の下面２８ａと軒樋溝部１３の内周面の下面１６との間に上側間隙部３ａと、軒樋溝部１３の外周面の下面１７と覆材２４ａの内周面の下面２９ａとの間に下側間隙部４ａとができ、上側間隙部３ａと下側間隙部４ａとが連通されているから、軒樋の端部を曲り継手本体２１ａの軒樋接続部２５ａに接続し、軒樋溝部１３を曲り継手溝部２３ａに嵌め込み、軒樋溝部１３の端部を曲り継手溝部２３ａと覆材２４ａとの間に差し込むことによって、軒樋溝部１３の端縁が継手溝部２３ａと覆材２４ａとの間の途中で止まって、軒樋溝部１３に流れ込んだ雨水は、曲り継手溝部２３ａの外周面の下面２８ａと軒樋溝部１３の内周面の下面１６とでできた上側間隙部３ａを通り、軒樋溝部１３の外周面の下面１７と覆材２４ａの内周面の下面２９ａとの間に下側間隙部４ａを通り、曲り継手本体内へ流れ込ますことができる。
【００４０】
以上、本発明の実施例を図面に基づいて説明してきたが、具体的な構成はこの実施例に限られるものではなく、本発明の要旨を逸脱しない範囲の設計変更等があっても本発明に含まれる。
例えば、他の実施例では、図７の（イ）に示したように、覆材２４ａの長手材２４ａｂにテーパーが付けられているが、曲り継手溝部２３ａと覆材２４ａとの間の奥の短手材２４ａａを上部が入口方向に傾斜させて、軒樋溝部１３の端縁の上部が傾斜した覆材２４ａの短手材２４ａａに当るようにしておいてもよい。
又、他の実施例で使われている覆材２４ａの代わりに、図８に示すように、幅広の帯状でできた内押え体５とし、内押え体５の形状を曲り継手本体２ｂの側壁と底板の形状とほぼ同じで、大きさは曲り継手本体２１ｂより若干小さくして、曲り継手本体２１ｂに内押え体５を嵌めることができ、曲り継手本体２１ｂと内押え体５との間で軒樋溝部の端部を押えて挟むようにしておいてもよい。
【００４１】
【発明の効果】
以上説明してきたように、請求項１記載の軒樋と曲り継手の接続構造について、軒樋は、断面形状が略Ｕ字形になされ、屋外側側壁の上端部に屋外側耳部とほぼ中央部に軒樋溝部と、屋内側側壁の上端部に屋内側耳部とが軒樋の長手方向に沿って設けられ、曲り継手は、断面形状が略Ｌ字型になされた曲り継手本体と、この曲り継手本体の入隅部の屋外側側壁のほぼ中央部に内方に向けて曲り継手溝部と、この曲り継手溝部を曲り継手本体の内方より覆う覆材と、両端部に軒樋が接続可能な軒樋接続部とが設けられ、軒樋の端部と曲り継手本体とを接続すると、曲り継手溝部の外周面の下面と軒樋溝部の内周面の下面との間で間隙部と、軒樋溝部の下端縁と覆材の下端縁との間で開口部とができ、間隙部と開口部とが連通されているから、軒樋の端部を曲り継手本体の軒樋接続部に接続し、軒樋溝部を曲り継手溝部に嵌め込み、軒樋の端縁と覆材の軒樋接続部側の端縁とを当接することによって、軒樋溝部に流れ込んだ雨水は、曲り継手溝部の外周面の下面と軒樋溝部の内周面の下面とでできた間隙部と通り、軒樋溝部の下端縁と覆材の下端縁との間に開口部を通り、曲り継手本体内へ流れ込むので、軒樋溝部に雨水が溜まり、雨水が下に落ちたり、軒樋が汚れたりすることがない。
又、曲り継手本体と曲り継手溝部と覆材と軒樋接続部の屋外側押え片と屋内側押え片とは、射出成型法で一体成型されているので、曲り継手の製作費や保管や保守にかかるコストを削減することができる。
【００４２】
請求項２記載の軒樋と曲り継手の接続構造については、軒樋は、断面形状が略Ｕ字形になされ、屋外側側壁の上端部に屋外側耳部とほぼ中央部に軒樋溝部と、屋内側側壁の上端部に屋内側耳部とが軒樋の長手方向に沿って設けられ、曲り継手は、断面形状が略Ｌ字型になされた曲り継手本体と、この曲り継手本体の入隅部の屋外側側壁のほぼ中央部に内方に向けて曲り継手溝部と、この曲り継手溝部を曲り継手本体の内方より覆う覆材と、両端部に軒樋が接続可能な軒樋接続部とが設けられ、軒樋の端部と曲り継手本体とを接続すると、曲り継手溝部の外周面の下面と軒樋溝部の内周面の下面との間に上側間隙部と、軒樋溝部の外周面の下面と覆材の内周面の下面との間に下側間隙部とができ、上側間隙部と下側間隙部とが連通されているから、軒樋の端部を曲り継手本体の軒樋接続部に接続し、軒樋溝部を曲り継手溝部に嵌め込み、軒樋溝部の端部を曲り継手溝部と覆材の間に差し込むことによって、軒樋溝部に流れ込んだ雨水は、曲り継手溝部の外周面の下面と軒樋溝部の内周面の下面とでできた上側間隙部を通り、軒樋溝部の外周面の下面と覆材の内周面の下面との間の下側間隙部を通り、曲り継手本体内へ流れ込むので、軒樋溝部に雨水が溜まり、雨水が下に落ちたり、軒樋が汚れたりすることがない。
又、曲り継手本体と曲り継手溝部と覆材と軒樋接続部の屋外側押え片と屋内側押え片とは、射出成型法で一体成型されているので、曲り継手の製作費や保管や保守にかかるコストを削減することができる。
【００４３】
又、請求項１及び請求項２記載の発明において、軒樋接続部の屋内側及び屋外側両側壁の上端に軒樋の屋内側及び屋外側耳部を上方から押えることができる押え片が曲り継手本体の内側に突出させて設けられているから、曲り継手本体の軒樋接続部に軒樋の端部を接続したとき、軒樋接続部の両押え片で軒樋の両耳部を上方から押えることができ、しっかりと曲り継手本体に軒樋の端部を取り付けることができる。
【図面の簡単な説明】
【図１】本発明の一実施例を示すもので、図１は曲り継手の一方の軒樋接続部に軒樋の端部が接続された状態を上方向から見た斜視説明図である。
【図２】曲り継手と軒樋とが接続され、曲り継手溝部に軒樋溝部が差し込まれ、曲り継手溝部が曲り継手本体の内方より覆材で覆われている状態を示す断面説明図である。
【図３】図２のＸ−Ｘ線矢視で、軒樋の端縁と覆材の端縁とが当接し、雨水が軒樋溝部から間隙部と開口部を通り、矢印の如く、曲り継手本体内に流れ込む状態を示す説明図である。
【図４】曲り継手本体の上方向からの斜視説明図である。
【図５】曲り継手と軒樋とが接続され、曲り継手溝部に軒樋が差し込まれ、曲り継手溝部が曲り継手本体の内方より覆材で覆っている状態を示す断面説明図である。
【図６】図５のＹ−Ｙ線矢視で、軒樋の端部を曲り継手溝部と覆材との間に差し込まれ、雨水が軒樋溝部から上側間隙部と下側間隙部を通り、矢印の如く、曲り継手本体内に流れ込む状態を示す説明図である。
【図７】（イ）は軒樋の端部を曲り継手溝部と覆材との間に差し込まれたとき、軒樋溝部の上部の覆材の長手材にテーパーが付けられ、覆材の途中で軒樋溝部が止まっている状態を示している説明図、（ロ）は軒樋溝部の上部の覆材の奥部の面に短手材にテーパーが付けられ、奥部の面の上端で軒樋溝部が止まっている状態を示している説明図である。
【図８】幅広の帯状でできた内押え体を曲り継手本体に嵌めて、曲り継手本体と内押え体との間で軒樋溝部の端部を挟む例を示した説明図である。
【符号の説明】
Ａ                      軒樋と曲り継手の接続構造
１                      軒樋
１１                    軒樋の屋外側側壁
１２                    屋外側耳部
１３                    軒樋溝部
１４                    軒樋の屋内側側壁
１５                    屋内側耳部
１６                    内周面の下面
１７                    軒樋溝部の下端縁
２、２ａ                曲り継手
２１、２１ａ、２１ｂ    曲り継手本体
２２、２２ａ            曲り継手の屋外側側壁
２３、２３ａ            曲り継手溝部
２４、２４ａ            覆材
２４ａａ                短手材
２４ａｂ                長手材
２５、２５ａ            軒樋接続部
２６、２６ａ            屋外側押え片
２７、２７ａ            屋内側押え片
２８、２８ａ            外周面の下面
２９、２９ａ            覆材の下端縁
３                      間隙部
３ａ                    上側間隙部
４                      開口部
４ａ                    下側間隙部
５                      内押え体
【図１】
0003987625.tif 000002
【図２】
0003987625.tif 000003
【図３】
0003987625.tif 000004
【図４】
0003987625.tif 000005
【図５】
0003987625.tif 000006
【図６】
0003987625.tif 000007
【図７】
0003987625.tif 000008
【図８】
0003987625.tif 000009